(57)【要約】【目的】  着火がスムーズにでき、煙の発生を最小限に抑えることができ、煙が戸外に大量に出て近隣トラブルの原因になったり、煙がタールや煤として暖炉・ストーブ本体又は煙突に付着してそれらの錆びや損傷の原因となってしまうことを有効に防止することができる、暖炉・ストーブ用小割薪を提供する。【構成】  家屋内で使用する暖炉・ストーブ用小割薪であって、長手方向の長さが１５〜２５ｃｍ、幅方向の長さが２〜５ｃｍ、及び厚さが１〜２ｃｍであり、且つ含水率が５〜１８％である、暖炉・ストーブ用小割薪である。【選択図】    図１
0003202150.tif 000002
【実用新案登録請求の範囲】
【請求項１】
家屋内で使用する暖炉・ストーブ用小割薪であって、長手方向の長さが１５〜２５ｃｍ、幅方向の長さが２〜５ｃｍ、及び厚さが１〜２ｃｍであり、且つ含水率が５〜１８％である、暖炉・ストーブ用小割薪。
【請求項２】
針葉樹を伐採した木材から蒲鉾板のために使用する部分が取り除かれた残りの部分から成る、請求項１に記載の暖炉・ストーブ用小割薪。
【考案の詳細な説明】
【技術分野】
【０００１】
本考案は家屋内で使用される暖炉・ストーブ用小割薪に関する。
【背景技術】
【０００２】
近年、家庭の団欒を演出するため等の目的から、昔ながらの暖炉や薪ストーブが見直され、これらを家屋内に設置する例が増えている。そして、このような家屋内の暖炉・ストーブ用の燃料として、木材を小割りして製作された薪がホームセンターや通販などで販売されている。
【先行技術文献】
【特許文献】
【０００３】
【特許文献１】特開２０１５−８１３３２号公報
【特許文献２】実用新案登録第３１３１５８３号公報
【考案の概要】
【考案が解決しようとする課題】
【０００４】
しかしながら、従来から販売されている、屋内で使用する暖炉・ストーブ用の薪については、着火時に煙が発生して室内に充満してしまう、着火後の暖房時にも多量の煙が発生してそれが煙突から戸外に出て近所の家の洗濯物等に付着してしまうなど近隣トラブルの原因になってしまう、着火時や暖房時に大量の煙が発生してそれがタールや煤として暖炉・ストーブ本体又は煙突に付着して錆びや損傷の原因となってしまう、などの問題があった。
【０００５】
本考案はこのような従来の屋内で使用する暖炉・ストーブ用の薪に関する問題点に着目してなされたものであって、着火がスムーズにでき、煙の発生を最小限に抑えることができ、煙が戸外に大量に出て近隣トラブルの原因になったり、煙がタールや煤として暖炉・ストーブ本体又は煙突に付着してそれらの錆びや損傷の原因となってしまうことを有効に防止することができる、暖炉・ストーブ用小割薪を提供することを目的とする。
【課題を解決するための手段】
【０００６】
このような課題を解決するための本考案による暖炉・ストーブ用小割薪は、家屋内で使用する暖炉・ストーブ用小割薪であって、長手方向の長さが１５〜２５ｃｍ、幅方向の長さが２〜５ｃｍ、及び厚さが１〜２ｃｍであり、且つ含水率が５〜１８％であることを特徴とするものである。
【０００７】
また、本考案による暖炉・ストーブ用小割薪においては、針葉樹を伐採した木材から蒲鉾板のために使用する部分を取り除いた残部を使用して作成されるものであってもよい。
【考案の効果】
【０００８】
本考案によれば、前述のように、暖炉・ストーブ用小割薪のそれぞれを、長手方向の長さを１５〜２５ｃｍ、幅方向の長さを２〜５ｃｍ、及び厚さを１〜２ｃｍとし且つ含水率を５〜１８％に統一したので、それらの中のいずれを着火用に使用しても、火が付き易くすることができ、煙を抑えながら暖房することができ、さらに暖房用の他の大きな薪への着火をもスムーズに行うことができる。
【０００９】
また、本考案によれば、前述のように、各薪の全てを統一的に、長手方向の長さを１５〜２５ｃｍ、幅方向の長さを２〜５ｃｍ、及び厚さを１〜２ｃｍとし且つ含水率を５〜１８％という十分に乾燥させた薪としたので、着火や暖房時において煙の発生を抑え、焚き初めに発生する臭いも大幅に減少させることができる。
【００１０】
また、本考案によれば、前述のように、長手方向の長さを１５〜２５ｃｍ、幅方向の長さを２〜５ｃｍ、及び厚さを１〜２ｃｍで含水率が５〜１８％となるように、全てを共通の規格の大きさ及び含水率に統一させたので、ユーザーにとって大変に使い勝手のよい暖炉・ストーブ用小割薪とすることができる。
【００１１】
さらに、本考案において、暖炉・ストーブ用小割薪を、杉などの針葉樹を伐採した木材から蒲鉾板のために使用する部分を取り除いた残りの部分を使用して作成するようにしたときは、従来は蒲鉾板の作成に使用した残りとして廃棄していた部分を暖炉・ストーブ用小割薪とすることができるため、環境にやさしい暖炉・ストーブ用小割薪を提供することができるようになる。
【図面の簡単な説明】
【００１２】
【図１】本考案の実施例１による暖炉・ストーブ用小割薪を示す斜視図である。
【図２】本実施例による小割薪を暖炉・ストーブの燃料（着火用）として使用するときの一例を示す斜視図である。
【考案を実施するための形態】
【００１３】
以下、本考案を一実施形態に係る暖炉・ストーブ用小割薪について説明する。図１は本実施形態による薪を示す斜視図である。図１に示すように、本実施形態に係る薪１は、長手方向の長さ（図１のａ参照）が１５〜２５ｃｍ、例えば約２０ｃｍ、幅方向の長さ（図１のｂ参照）が２〜５ｃｍ、例えば約３ｃｍ、及び厚さ（図１のｃ参照）が１〜２ｃｍ、例えば約１．５ｃｍというように、多数の薪１が全て統一的な規格サイズに適合するように形成されている。
【００１４】
本考案者による本実施形態に係る薪１の製造工程では、まず、杉などの針葉樹の木材から、蒲鉾板を製作する部分を除き、それ以外の残部を使用し、それらを上記の統一的な規格サイズに小割（切断）した。そして、これらの上記統一的な規格サイズに小割、形成した各板片を、公知の熱風乾燥装置（蒸気式もしくは電熱式の乾燥装置）、減圧乾燥装置又は低温除湿乾燥装置により、所定時間、乾燥させ、これにより本実施形態による各薪１を製造した。
【００１５】
本考案者は、上記各小割した薪のほぼ全てが統一的に、含水率５〜１８％、例えば約１８％となるまで、上記各薪の乾燥を行った。上記含水率は、例えば木材に含まれる水分重量を同木材の乾燥重量で除した数値（含水比）であり、実際には、測定対象の木材中に探触子を所定深さまで差し込んで電気抵抗値又は電気容量を測定することにより近似的に求められる数値である。なお本考案者が上記含水率を測定する際に使用した計測器は、株式会社佐藤計量器製作所（東京都千代田区神田西福田町３番地）製造の商品名「木材水分チェッカー」である。
【００１６】
また、図２は前述のような各薪１を暖炉などの中で実際に使用するときの状態を示す図である。本実施形態に係る各薪１を暖炉などの中で着火等のために実際に使用するときは、着火剤（図示省略）を暖炉の略中央に配置してから、図２に示すように、各薪１を暖炉の中でそれらが全体として平面が略三角形状となるように上下に組む。すなわち、図２のような、全体が平面略三角形状に上下に組まれた薪２（前記着火剤が略中心に配置されている）として、暖炉の中に配置し、その後、それらの中心にある着火剤に点火する。なお、大型の暖炉等の場合は平面略三角形状でなく平面略四角形状でもよい。また、上記の点火がされた後は大きめの薪を投入するようにしてもよい。
【００１７】
以上説明したように、本実施形態による各薪１は、それらの全てが長手方向の長さが例えば約２０ｃｍ、幅方向の長さが約３ｃｍ、及び厚さが約１．５ｃｍという統一的な規格サイズで製造され、且つそれらの全てが例えば約１８％という統一的な含水率を有するように製造されている。
【００１８】
よって、このような本実施形態による各薪１を使用するときは、前述のように統一的な規格サイズ及び含水率を有するように形成したので、暖炉や薪ストーブでの暖房のために使用するとき、多数の各薪１の中のいずれを着火用に使用しても、火を付き易くすることができ、煙を抑えながら暖房することができ、さらに暖房用の他の大きな薪への着火をもスムーズに行うことができる。
【００１９】
また、本実施形態による各薪１によれば、前述のように、長手方向の長さが例えば約２０ｃｍ、幅方向の長さが約３ｃｍ、及び厚さが約１．５ｃｍという統一的な規格サイズで、且つ約１８％という統一的な含水率を有するように乾燥させて製造したので、暖炉や薪ストーブのために使用するとき、着火や暖房時において煙の発生を抑え、焚き初めに発生する臭いも大幅に減少させることができる。
【００２０】
また、本実施形態によれば、前述のように、長手方向の長さが例えば約２０ｃｍ、幅方向の長さが約３ｃｍ、及び厚さが約１．５ｃｍというように全てを共通の規格の大きさに統一し且つそれらの含水率も約１８％に統一させたので、ユーザーにとって大変に使い勝手のよい暖炉・ストーブ用小割薪とすることができる。
【００２１】
さらに、本実施形態において、暖炉・ストーブ用小割薪を、杉などの針葉樹を伐採した木材から蒲鉾板のために使用する部分を取り除いた残部を使用して作成するようにしたときは、従来は蒲鉾板の製造のために使用した残りとして廃棄していた部分を暖炉・ストーブ用小割薪とすることができるため、環境にやさしい暖炉・ストーブ用小割薪を提供することができるようになる。
【００２２】
以上、本考案の各実施例について説明したが、本考案及び本考案を構成する各構成要件は、それぞれ、前記の各実施例及び前記の各実施例を構成する各要素として述べたものに限定されることなく様々な修正及び変更が可能である。また本考案は当然に添付の実用新案登録請求の範囲及びその均等物の範囲内にある修正及び変形をも含むものである。
【符号の説明】
【００２３】
１  薪
２  全体が平面略三角形状に上下に組まれた薪
【図１】
0003202150.tif 000003
【図２】
0003202150.tif 000004